(57)【要約】無線電気通信ネットワークにおいてソースネットワークノードからターゲットネットワークノードへの第１の無線デバイスのハンドオーバの間に、第２の無線デバイスとのDevice-to-Device （D2D）通信を管理するために該第１の無線デバイスによって実行される方法が提供される。該第１の無線デバイスは、該D2D通信を中断する。そして、該第１の無線デバイスは、該ソースネットワークノードへのアップリンクタイミングと該ターゲットネットワークノードへのアップリンクタイミングとの間の差として第１のアップリンクタイミング差を決定する。そして、該第１の無線デバイスは、該第１のアップリンクタイミング差に基づいて、該D2D通信を再構成する。そして、該第１の無線デバイスは、再構成された前記D2D通信を再開する。第１の無線デバイス（１２１）も提供される。さらに、D2D通信を管理するための、ターゲットネットワークノード（１１０、１１１、１１２）、ソースネットワークノード（１１０、１１１）、および、それらの方法が提供される。【選択図】図２Ａ
2016522630.tif 000002
【特許請求の範囲】
【請求項１】
無線電気通信ネットワーク（１００）においてソースネットワークノード（１１０、１１１）からターゲットネットワークノード（１１０、１１１、１１２）への第１の無線デバイス（１２１）のハンドオーバの間に、第２の無線デバイス（１２２）とのDevice-to-Device （D2D）通信を管理するために前記第１の無線デバイス（１２１）によって実行される方法であって、
前記D2D通信を中断する工程（８０１）と、
前記ソースネットワークノード（１１０、１１１）へのアップリンクタイミングと前記ターゲットネットワークノード（１１０、１１１、１１２）へのアップリンクタイミングとの間の差として第１のアップリンクタイミング差を決定する工程（８０２）と、
前記第１のアップリンクタイミング差に基づいて、前記D2D通信を再構成する工程（８０３）と、
再構成された前記D2D通信を再開する工程（８０４）と、
を含むことを特徴とする方法。
【請求項２】
前記中断する工程（８０１）は、前記ハンドオーバが開始される前に、ソースネットワークノード（１１０、１１１）から、前記D2D通信を中断するための指示を受信することに応答して行われることを特徴とする請求項１に記載の方法。
【請求項３】
前記ターゲットネットワークノード（１１０、１１１、１１２）へのアップリンクタイミングは、前記ハンドオーバの間に前記第１の無線デバイス（１２１）と前記ターゲットネットワークノード（１１０、１１１、１１２）との間で実行されるランダムアクセス手順の一部として決定されることを特徴とする請求項１または２に記載の方法。
【請求項４】
前記再構成する工程（８０３）は、さらに、
前記ハンドオーバが完了した後に、前記ターゲットネットワークノード（１１０、１１１、１１２）へ、前記決定された第１のアップリンクタイミング差を送信する工程と、
前記ターゲットネットワークノード（１１０、１１１、１１２）から、前記D2D通信のためのスケジューリングスキームを受信する工程と、
を含み、
前記スケジューリングスキームは、送信リソースが前記D2D通信のために割り当てられ得るサブフレームの時間位置を示すことを特徴とする請求項１から３のいずれか１項に記載の方法。
【請求項５】
前記送信する工程は、さらに、前記ソースネットワークノード（１１０、１１１）へのアップリンクタイミングと第３のネットワークノードへのアップリンクタイミングとの間の差である第２のアップリンクタイミング差が前記第１の無線デバイス（１２１）により決定された場合に、前記ターゲットネットワークノード（１１０、１１１、１１２）へ、前記第２のアップリンクタイミング差を送信する工程を含むことを特徴とする請求項４に記載の方法。
【請求項６】
前記アップリンクタイミング差は、いくつかのサブフレーム程度で決定されることを特徴とする請求項１から５のいずれか１項に記載の方法。
【請求項７】
無線電気通信ネットワーク（１００）においてソースネットワークノード（１１０、１１１）からターゲットネットワークノード（１１０、１１１、１１２）への第１の無線デバイス（１２１）のハンドオーバの間に、第２の無線デバイス（１２２）とのDevice-to-Device （D2D）通信を管理するための前記第１の無線デバイス（１２１）であって、
前記D2D通信を中断し、
前記ソースネットワークノード（１１０、１１１）へのアップリンクタイミングと前記ターゲットネットワークノード（１１０、１１１、１１２）へのアップリンクタイミングとの間の差として第１のアップリンクタイミング差を決定し、
前記第１のアップリンクタイミング差に基づいて、前記D2D通信を再構成し、
再構成された前記D2D通信を再開する、
ように構成された処理回路（１１１０）を有することを特徴とする第１の無線デバイス。
【請求項８】
前記処理回路（１１１０）は、さらに、前記ハンドオーバが開始される前に、ソースネットワークノード（１１０、１１１）から、前記D2D通信を中断するための指示を受信することに応答して、前記D2D通信を中断するように構成されることを特徴とする請求項７に記載の第１の無線デバイス。
【請求項９】
前記処理回路（１１１０）は、さらに、前記ハンドオーバが完了した後に、前記ターゲットネットワークノード（１１０、１１１、１１２）へ、前記決定された第１のアップリンクタイミング差を送信し、前記ターゲットネットワークノード（１１０、１１１、１１２）から、前記D2D通信のためのスケジューリングスキームを受信するように構成され、
前記スケジューリングスキームは、前記D2D通信のために送信リソースが割り当てられ得るサブフレームの時間位置を示すことを特徴とする請求項７または８に記載の第１の無線デバイス。
【請求項１０】
前記処理回路（１１１０）は、さらに、前記ソースネットワークノードへのアップリンクタイミングと第３のネットワークノードへのアップリンクタイミングとの間の差である第２のアップリンクタイミング差が前記第１の無線デバイス（１２１）により決定された場合に、前記ターゲットネットワークノード（１１０、１１１、１１２）へ、第２のアップリンクタイミング差を送信するように構成されることを特徴とする請求項９に記載の第１の無線デバイス。
【請求項１１】
無線電気通信ネットワーク（１００）においてソースネットワークノード（１１０、１１１）からターゲットネットワークノード（１１０、１１１、１１２）への第１の無線デバイス（１２１）のハンドオーバの間に、前記第１の無線デバイス（１２１）と第２の無線デバイス（１２２）との間のDevice-to-Device （D2D）通信を管理するために前記ターゲットネットワークノード（１１０、１１１、１１２）によって実行される方法であって、
前記ハンドオーバが完了した後に、前記第１の無線デバイス（１２１）から、少なくとも前記第１の無線デバイス（１２１）の第１のアップリンクタイミング差を受信する工程（９０１）と、
少なくとも前記第１の無線デバイス（１２１）の前記第１のアップリンクタイミング差に基づいて、前記D2D通信のためのスケジューリングスキームを決定する工程（９０２）と、
を含み、
前記第１のアップリンクタイミング差は、前記ソースネットワークノード（１１０、１１１）への前記第１の無線デバイス（１２１）のアップリンクタイミングと前記ターゲットネットワークノード（１１０、１１１、１１２）への前記第１の無線デバイス（１２１）のアップリンクタイミングとの間の差であることを特徴とする方法。
【請求項１２】
前記第１の無線デバイス（１２１）へ前記D2D通信の前記スケジューリングスキームを送信する工程（９０３）をさらに含むことを特徴とする請求項１１に記載の方法。
【請求項１３】
前記スケジューリングスキームを決定する工程（９０２）は、さらに、X2インタフェースを介した前記ソースネットワークノード（１１０、１１１）との通信を通じて、送信リソースが前記D2D通信のために割り当てられ得るサブフレームの時間位置を決定する工程を含むことを特徴とする請求項１１または１２に記載の方法。
【請求項１４】
前記受信する工程（９０１）は、さらに、前記第１の無線デバイス（１２１）から、前記第１の無線デバイス（１２１）の第２のアップリンクタイミング差を受信する工程を含み、
前記決定する工程（９０２）は、さらに前記第１の無線デバイスの第２のアップリンクタイミング差に基づき、
前記第１の無線デバイス（１２１）の第２のアップリンクタイミング差は、前記ソースネットワークノード（１１０、１１１）への前記第１の無線デバイス（１２１）のアップリンクタイミングと第３のネットワークノードへの前記第１の無線デバイス（１２１）のアップリンクタイミングとの間の差であることを特徴とする請求項１１から１３のいずれか１項に記載の方法。
【請求項１５】
前記スケジューリングスキームを決定する工程（９０２）は、前記第３のネットワークノードが前記第２の無線デバイス（１２１）をサービスしているときに、前記第３のネットワークノードとの通信によりさらに実行されることを特徴とする請求項１４に記載の方法。
【請求項１６】
無線電気通信ネットワーク（１００）においてソースネットワークノード（１１０、１１１）からターゲットネットワークノード（１１０、１１１、１１２）への第１の無線デバイス（１２１）のハンドオーバの間に、第１の無線デバイス（１２１）と第２の無線デバイス（１２２）との間のDevice-to-Device （D2D）通信を管理するためのターゲットネットワークノード（１１０、１１１、１１２）であって、
前記ハンドオーバが完了した後に、前記第１の無線デバイス（１２１）から、少なくとも前記第１の無線デバイス（１２１）の第１のアップリンクタイミング差を受信し、
前記少なくとも前記第１の無線デバイス（１２１）の前記第１のアップリンクタイミング差に基づいて、D2D通信のためのスケジューリングスキームを決定する、
ように構成された処理回路（１２１０）を有し、
前記第１のアップリンクタイミング差は、前記ソースネットワークノード（１１０、１１１）への前記第１の無線デバイス（１２１）のアップリンクタイミングと、前記ターゲットネットワークノード（１１０、１１１、１１２）への前記第１の無線デバイス（１２１）のアップリンクタイミングとの差であることを特徴とするターゲットネットワークノード。
【請求項１７】
前記処理回路（１２１０）は、さらに、前記第１の無線デバイス（１２１）へ前記スケジューリングスキームを送信するように構成されることを特徴とする請求項１６に記載のターゲットネットワークノード。
【請求項１８】
前記処理回路（１２１０）は、さらに、X2インタフェースを介した前記ソースネットワークノード（１１０、１１１）との通信を通じて、送信リソースが前記D2D通信のために割り当てられ得るサブフレームの時間位置を決定することにより前記スケジューリングスキームを決定するように構成されることを特徴とする請求項１６または１７に記載のターゲットネットワークノード。
【請求項１９】
前記処理回路（１２１０）は、さらに、前記第１の無線デバイス（１２１）から、前記第１の無線デバイス（１２１）の第２のアップリンクタイミング差を受信し、
前記第２のアップリンクタイミング差にさらに基づいて、前記スケジューリングスキームを決定するように構成され、
前記第１の無線デバイス（１２１）の第２のアップリンクタイミング差は、前記ソースネットワークノード（１１０、１１１）への前記第１の無線デバイス（１２１）のアップリンクタイミングと、第３のネットワークノードへの前記第１の無線デバイス（１２１）のアップリンクタイミングとの差であることを特徴とする請求項１６から１８のいずれか１項に記載のターゲットネットワークノード。
【請求項２０】
前記処理回路（１２１０）は、さらに、前記第３のネットワークノードが前記第２の無線デバイス（１２２）にサービスしているときに、前記第３のネットワークノードとの通信によりスケジューリングスキームを決定するように構成されることを特徴とする請求項１９に記載のターゲットネットワークノード。
【請求項２１】
無線電気通信ネットワーク（１００）においてソースネットワークノード（１１０、１１１）からターゲットネットワークノード（１１０、１１１、１１２）への第１の無線デバイス（１２１）のハンドオーバの間に、第１の無線デバイス（１２１）と第２の無線デバイス（１２２）との間のDevice-to-Device （D2D）通信を管理するためのソースネットワークノード（１１０、１１１、１１２）により実行される方法であって、
前記ハンドオーバが開始される前に前記D2D通信を中断するための指示を、少なくとも前記第２の無線デバイス（１２１、１２２）へ送信する工程（１００１）と、
前記ハンドオーバが完了した後に、少なくとも前記第１の無線デバイス（１２１）の第１のアップリンクタイミング差に基づいて、前記D2D通信のためのスケジューリングスキームを決定する工程（１００２）と、
を含み、
前記第１のアップリンクタイミング差は、前記ソースネットワークノード（１１０、１１１）への前記第１の無線デバイス（１２１）のアップリンクタイミングと、前記ターゲットネットワークノード（１１０、１１１、１１２）への前記第１の無線デバイス（１２１）のアップリンクタイミングとの差であることを特徴とする方法。
【請求項２２】
前記第２の無線デバイス（１２２）へ前記D2D通信のための前記スケジューリングスキームを送信する工程（１００３）を更に含むことを特徴とする請求項２１に記載の方法。
【請求項２３】
前記スケジューリングスキームを決定する工程（１００２）は、さらに、X2インタフェースを介した前記ターゲットネットワークノード（１１１、１１２）との通信を通じて、送信リソースが前記D2D通信のために割り当てられ得るサブフレームの時間位置を決定する工程を含むことを特徴とする請求項２１または２２に記載の方法。
【請求項２４】
無線電気通信ネットワーク（１００）においてソースネットワークノード（１１０、１１１）からターゲットネットワークノード（１１０、１１１、１１２）への第１の無線デバイス（１２１）のハンドオーバの間に、第１の無線デバイス（１２１）と第２の無線デバイス（１２２）との間のDevice-to-Device （D2D）通信を管理するためのソースネットワークノード（１１０、１１１）であって、
前記ハンドオーバが開始される前に前記D2D通信を中断する指示を、少なくとも前記第２の無線デバイス（１２１、１２２）へ送信し、
前記ハンドオーバが完了した後に、少なくとも前記第１の無線デバイス（１２１）の第１のアップリンクタイミング差に基づいて、前記D2D通信のためのスケジューリングスキームを決定する
ように構成された処理回路（１３１０）を有し、
前記第１のアップリンクタイミング差は、前記ソースネットワークノード（１１０、１１１）への前記第１の無線デバイス（１２１）のアップリンクタイミングと前記ターゲットネットワークノード（１１０、１１１、１１２）への前記第１の無線デバイス（１２１）のアップリンクタイミングとの差であることを特徴とするソースネットワークノード。
【請求項２５】
前記処理回路（１３１０）は、さらに前記第２の無線デバイス（１２２）へ前記D2D通信の前記スケジューリングスキームを送信するように構成されることを特徴とする請求項２４に記載のソースネットワークノード。
【請求項２６】
前記処理回路（１３１０）は、さらに、X2インタフェースを介したターゲットネットワークノードとの通信を通じて、送信リソースがD2D通信のために割り当てられ得るサブフレームの時間位置を決定することにより前記スケジューリングスキームを決定するように構成されることを特徴とする請求項２４または２５に記載のソースネットワークノード。
【発明の詳細な説明】
【技術分野】
【０００１】
本実施形態は、無線電気通信ネットワークにおけるDevice-to-Device (D2D) 通信に関する。特に、本実施形態は、無線電気通信ネットワークにおける無線デバイスのハンドオーバの間のD2D通信を管理することに関する。
【背景技術】
【０００２】
無線通信ネットワークにおいて、3GPPロングタームエヴォリューション（LTE）の近年の発展により、自宅、オフィス、公共のホットスポット、およびアウトドアの環境であっても、ローカルIPベースのサービスにアクセスすることが容易になっている。これらのローカルIPベースのアクセスおよびローカル接続が利用され得るエリアは、互いに近接近している無線デバイス間の直接通信におけるものである。この場合、近接近は、典型的には、数十メートル以下を参照するが、数百メートルまでを呼ぶ場合もある。
【０００３】
この直接モード、またはDevice-to−Device（D2D）通信は、伝統的なセルラ通信に対して、いくらかの潜在的な利益（gain）を示す。これは、D2Dデバイスが、NodeBといった無線ネットワーク等のセルラアクセスポイントを介して通信を行う必要のある他のセルラデバイスより、互いにかなり接近しているからである。
【０００４】
しかしながら、リソースの効率的な利用と干渉の管理を保証するために、ネットワークの観点から、D2D通信の制御を維持することが好ましいことに注意すべきである。
【０００５】
混合したこれらのセルラおよびD2D無線通信ネットワークにおいて、時間分割複信（Time-Division Duplex, TDD）がD2D通信の複信送信方法となるように、D2D通信を、セルラアップリンク（UL）上に位置づけることが提案されてきた。これは、時間分割多重（TDM）の方法で、セルラULリソースが、無線デバイスの各D2Dペアの間のアップストリーム方向とダウンストリーム方向の両方でD2D通信の送信に対して割り当てられることを意味する。
【０００６】
無線デバイスが互いに近接するデバイスを発見した時点で、無線デバイスおよび／またはネットワークは、２つの無線デバイス間のD2Dリンクの確立を初期化してもよい。これは、D2Dベアラの確立として、一般的に参照されることである。
【０００７】
しかしながら、２つの無線デバイス間のD2Dリンクを確立すると、２つの無線デバイスのうちの一方が現在のセルのセルラカバレッジを出て、別のセルのセルラカバレッジに入るとき、すなわちハンドオーバの間に、D2D通信をどのように管理するかが問題となる。従って、無線通信ネットワークにおいて、無線デバイスのハンドオーバの間のD2D通信を管理する方法を提供することが必要となる。
【０００８】
国際公開第2011/109027号には、異なるセル間で、D2Dペアの無線デバイスのハンドオーバについて記載されている。しかしながら、この場合では、D2Dペアの無線デバイスの両方が、ハンドオーバの一部であり、D2D通信のネットワーク制御では、単に、ソースセルのネットワークノードから、ターゲットセルのネットワークノードへ移している
【発明の概要】
【０００９】
本実施形態の目的は、無線通信ネットワークにおいて、無線デバイスのハンドオーバの間のD2D通信を管理する方法を提供することである。
【００１０】
本実施形態の第１の観点によれば、目的は、無線電気通信ネットワークにおいてソースネットワークノードからターゲットネットワークノードへの第１の無線デバイス（１２１）のハンドオーバの間に、第２の無線デバイスとのDevice-to-Device （D2D）通信を管理するために前記第１の無線デバイスによって実行される方法によって達成される。第１の無線デバイスは、D2D通信を中断する。その後、第１の無線デバイスはソースネットワークノードへのアップリンクタイミングとターゲットネットワークノードへのアップリンクタイミングとの間の差として、第１のアップリンクタイミング差を決定する。さらに、第１の無線デバイスは、該第１のアップリンクタイミング差に基づいて、D2D通信を再構成する。その後、第１の無線デバイスは、再構成されたD2D通信を再開する。
【００１１】
本実施形態の第２の観点によれば、目的は、無線電気通信ネットワークにおいてソースネットワークノードからターゲットネットワークノードへの第１の無線デバイスのハンドオーバの間に、第２の無線デバイスとのDevice-to-Device （D2D）通信を管理するための第１の無線デバイスによって達成される。第１の無線デバイスは、D2D通信をまず中断するように構成された処理回路を有する。処理回路は、その後に、ソースネットワークノードへのアップリンクタイミングとターゲットネットワークノードへのアップリンクタイミングとの間の差としての第１のアップリンクタイミング差を決定するように構成される。さらに、処理回路は、第１のアップリンクタイミング差に基づいて、D2D通信を再構成し、再構成されたD2D通信を再開するように構成される。
【００１２】
本実施形態の第３の観点によれば、目的は、無線電気通信ネットワークにおいてソースネットワークノードからターゲットネットワークノードへの第１の無線デバイスのハンドオーバの間に、第１の無線デバイスと第２の無線デバイスとの間のDevice-to-Device （D2D）通信を管理するためにターゲットネットワークノードによって実行される方法により達成される。ハンドオーバが完了した後、ターゲットネットワークノードは、第１の無線デバイスから第１の無線デバイスの第１のアップリンクタイミング差を少なくとも受信する。また、ターゲットネットワークノードは、少なくとも第１の無線デバイスの第１のアップリンクタイミング差に基づいて、D2D通信に対するスケジューリングスキームを決定する。第１のアップリンクタイミング差は、ソースネットワークノードへの第１の無線デバイスのアップリンクタイミングと、ターゲットネットワークノードへの第１の無線デバイスのアップリンクタイミングとの差である。
【００１３】
本実施形態の第４の観点によれば、目的は、無線電気通信ネットワークにおいてソースネットワークノードからターゲットネットワークノードへの第１の無線デバイスのハンドオーバの間に、第１の無線デバイスと第２の無線デバイスとの間のdevice-to-device （D2D）通信を管理するためのターゲットネットワークノードによって達成される。ターゲットネットワークノードは、ハンドオーバが干渉した後に、第１の無線デバイスから、少なくとも第１の無線デバイスの第１のアップリンクタイミング差を受信するように構成された処理回路を有する。処理回路は、さらに少なくとも第１の無線デバイスの第１のアップリンクタイミング差に基づいて、D2D通信のためのスケジューリングスキームを決定するように構成される。第１のアップリンクタイミング差は、ソースネットワークノードへの第１の無線デバイスのアップリンクタイミングと、ターゲットネットワークノードへの第１の無線デバイスのアップリンクタイミングとの差である。
【００１４】
本実施形態の第５の観点によれば、目的は、無線電気通信ネットワークにおいてソースネットワークノードからターゲットネットワークノードへの第１の無線デバイスのハンドオーバの間に、第１の無線デバイスと第２の無線デバイスとの間のDevice-to-Device （D2D）通信を管理するためのソースネットワークノードにより実行される方法により達成される。ソースネットワークノードは、ハンドオーバが開始される前に、少なくとも第２の無線デバイスへのD2D通信を中断するための指示を送信する。その後、ハンドオーバが完了した後、ソースネットワークノードは、少なくとも第１の無線デバイスの第１のアップリンクタイミング差に基づいて、D2D通信のためのスケジューリングスキームを決定する。第１のアップリンクタイミング差は、ソースネットワークノードへの第１の無線デバイスのアップリンクタイミングと、ターゲットネットワークノードへの第１の無線デバイスのアップリンクタイミングとの差である。
【００１５】
本実施形態の第６の観点によれば、目的は、無線電気通信ネットワークにおいてソースネットワークノードからターゲットネットワークノードへの第１の無線デバイスのハンドオーバの間に、第１の無線デバイスと第２の無線デバイスとの間のDevice-to-Device （D2D）通信を管理するためのソースネットワークノードにより達成される。ソースネットワークノードは、ハンドオーバが開始される前に、少なくとも第２の無線デバイスへのD2D通信を中断するための指示を送信するように構成された処理回路を有する。処理回路は、さらに、ハンドオーバが完了した後、少なくとも第１の無線デバイスの第１アップリンクタイミング差に基づいて、D2D通信のためのスケジューリングスキームを決定するように構成される。第１のアップリンクタイミング差は、ソースネットワークノードへの第１の無線デバイスのアップリンクタイミングと、ターゲットネットワークノードへの第１の無線デバイスのアップリンクタイミングとの差である。
【００１６】
D2D通信を行っている無線デバイスが、ソースネットワークノードからターゲットネットワークノードへのハンドオーバを実行する際に、ターゲットネットワークノードに対して、ソースネットワークノードとターゲットネットワークノードとの間のアップリンクタイミング差を与えることにより、D2D通信の制御に携わるネットワークノードは、ハンドオーバが完了した後に使用されるD2DF通信に対するスケジューリングスキームを決定することができる。すなわち、アップリンクタイミング差に基づいて、ネットワークノードは、D2D通信のスケジューリングのために用いられる時間位置に対して同意を得ることが可能となる。スケジューリングスキームは、ゆえに、セルラおよびD2Dリンクに対するリソースをスケジュールする分割したネットワーク制御ポイント、すなわち、D2D通信を制御する2つのネットワークノードを有する場合に、衝突を効果的に回避するだろう。
【図面の簡単な説明】
【００１７】
実施形態の上記の特徴及び利点、並びに他の特徴及び利点は、例示的な実施形態の以下の詳細な説明を読み且つ添付の図面を参照することにより、当業者には容易に明らかになるだろう。
【図１】図１は、無線通信ネットワークにおける実施形態を示す概略的なブロック図である。
【図２Ａ】図２Ａは、いくつかの実施形態による第１のD2Dハンドオーバシナリオを示す概略的なブロック図である。
【図２Ｂ】図２Ｂは、いくつかの実施形態による第１のD2Dハンドオーバシナリオを示す概略的なブロック図である。
【図３】図３は、図２の第１のD2Dハンドオーバシナリオにおけるいくつかの実施形態によるシグナリングを示す概略的なシグナリング図である。
【図４Ａ】図４Ａは、いくつかの実施形態による第２のハンドオーバシナリオを示す概略的なブロック図である。
【図４Ｂ】図４Ｂは、いくつかの実施形態による第２のハンドオーバシナリオを示す概略的なブロック図である。
【図５】図５は、図４の第１のD2Dハンドオーバシナリオにおけるいくつかの実施形態によるシグナリングを示す概略的なシグナリング図である。
【図６Ａ】図６Ａは、いくつかの実施形態による第３のハンドオーバシナリオを示す概略的なブロック図である。
【図６Ｂ】図６Ｂは、いくつかの実施形態による第３のハンドオーバシナリオを示す概略的なブロック図である。
【図７】図７は、図６の第１のD2Dハンドオーバシナリオにおけるいくつかの実施形態によるシグナリングを示す概略的なシグナリング図である。
【図８】無線デバイスにおける方法の実施形態を示すフローチャートである。
【図９】ターゲットネットワークノードにおける方法の実施形態を示すフローチャートである。
【図１０】ソースネットワークノードにおける方法の実施形態を示すフローチャートである。
【図１１】無線デバイスの実施形態を示すブロック図である。
【図１２】ターゲットネットワークノードの実施形態を示すブロック図である。
【図１３】ソースネットワークノードの実施形態を示すブロック図である。
【発明を実施するための形態】
【００１８】
図は、概略的なものであり、明確性のために簡単化されている。また、図は、単にここに示す実施形態の理解に必須なものの詳細を示すに過ぎず、他の詳細な部分は省略されている。文中、同じ参照番号が、同一または対応する部分はステップに対して使用される。
【００１９】
図１は、本実施形態が実装され得る無線電気通信ネットワーク１００を示す。いくつかの実施形態において、無線電気通信ネットワーク１００は、LTE（例えば、LTE FDD、LTE TDD、LTE HD-FDD）、WCDMA、UTRA TDD、GSMネットワーク、GERANネットワーク、GSM evolutionに対するenhanced data rate (EDGE)ネットワーク、Multi-Standard Radio (MSR)
基地局、multi-RAT基地局等のRATのあらゆる組み合わせを含むネットワーク、あらゆる3GPPセルラネットワーク、Wimaxまたはあらゆるセルラネットワークまたはシステムであり得る。
【００２０】
無線電気通信システム１００は、第１の無線ネットワークノード１１０を含む。第１の無線ネットワークノード１１０は、無線基地局であり、ゆえに無線基地局または基地局としても参照され得る。ネットワークノード１１０は、第１のセル１１５に対してサービスを行う。ネットワークノード１１０は、この例では、eNB、eNodeB、ホームNodeB、ホームeNodeB、ホームeNode B、フェムト基地局（BS）、ピコBS、または、無線デバイスや、クラスタヘッド等のデバイスのような無線電気通信システムにおけるマシーンタイプの通信デバイスに対するサービスが可能なあらゆる他のネットワークユニットであり得る。
【００２１】
第１の無線デバイス１２１は、第１のセル１１５内に位置する。無線デバイス１２１は、無線ネットワークノード１１０によりサービスを受ける第１のセル１１５に存在する場合に、無線リンク１３０上で無線ネットワークノード１１０を介して無線通信システム１００内で通信するように構成されている。第１の無線デバイス１２１は、第２の無線デバイス１２２等の他の無線デバイスと、以下に述べるD2Dリンク１４０（図１の点線矢印）上で無線D2D通信を用いて通信を行うことが可能である。
【００２２】
この例において、第２の無線デバイス１２２も、第１のセル１１５内に位置している。しかしながら、他の実施形態において、第２の無線デバイス１２２は、第１のセル１１５に隣接し、別の第２の無線ネットワークノード１１１によりサービスを受ける第２のセル１１６のような別のセルにも位置し得る。第２の無線デバイス１２２は、基地局１１０によりサービスを受ける第１のセル１１５に存在する場合に、無線リンク１５０等の無線リンク上で第１の無線ネットワークノード１１０を介して無線通信システム１００内で通信するように構成される。第２の無線デバイス１２２は、D2Dリンク１４０上で無線D2D通信を用いて、第１の無線デバイス１２１のような他の無線デバイスと通信を行うことが可能である。
【００２３】
第１の無線デバイス１２１はと第２の無線デバイス１２２は、例えば、無線端末、携帯電話、ラップトップ、PDA（Personal Digital Assistant）、無線機能を備えるタブレットコンピュータ、M2M（Machine to Machine）デバイス、または通信ネットワークにおいて無線リンク上で通信を行うことが可能なあらゆる他の無線ネットワークユニットのようなコンピュータのような無線デバイスであり得ることに注意すべきである。
【００２４】
また、無線ネットワーク１００には多数の無線デバイスが位置し得ることに注意すべきである。第１の無線デバイス１２１と第２の無線デバイス１２２は、無線ネットワーク１００に位置する無線デバイスの多くのペアの中の、一つの無線デバイスのペアと見なすことができる。
【００２５】
しかしながら、無線デバイスのうちの一つ、例えば第１の無線デバイス１２１が、第１のセル１１５のセルラカバレッジを出て、第２のセル１１６のような別のセルのセルラカバレッジに入る場合に、第１の無線ネットワークノード１１０は、もしハンドオーバが第１の無線デバイス１２１から第２の無線デバイス１２２に引き続き行われるならば、D2D通信のスケジューリングを制御することは、もはやできない。
【００２６】
したがって、この場合、無線デバイス間のD2D通信のネットワーク制御ポイントは、第１の無線ネットワークノード１１０と第２の無線ネットワークノード１１１との間を分離する必要がある。ここで、衝突を回避すること、すなわち、第１の無線ネットワークノードがD2D通信に対するスケジューリングを行い、第２の無線ネットワークノードがセルラ通信に対するスケジューリングを行うことは、セルラとD2Dリンクに対するリソースをスケジューリングする分離したネットワーク制御ポイントを設ける場合に、問題が生じる。この問題は、同期した隣接セルおよび同期していない隣接セルの両方に対して発生し得る。非同期していない場合については、セルタイミングが、２つのセルで異なり、セルタイミングが無線デバイスのD2Dペアに既知ではないことも問題となる。すなわち、無線デバイスのD2Dペアは、これらの無線デバイス間が同期すべきD2D通信によるデバイスの送信／受信の一つのペアである。
【００２７】
この問題は、ここに記述される実施形態により解決される。実施形態において、D2D通信に行っている無線デバイス１２１、１２２は、ソースネットワークノード、すなわちそれぞれの現在のセルのネットワークノードへのアップリンクタイミングと、ターゲットネットワークノード、すなわちそれらが動いて入るセルのネットワークノードへのアップリンクタイミングとの間のアップリンクタイミング差を、該ソースネットワークノードからターゲットネットワークノードへハンドオーバを行う際に提供する。したがって、D2D通信を制御するネットワークノードは、ハンドオーバが完了した後に使用されるD2D通信に対するスケジューリングスキームを決定し得る。すなわち、アップリンクタイミング差に基づいて、ネットワークノードは、D2D通信のスケジューリングのために使用される時間位置の合意に達する。したがって、このスケジューリングスキームは、セルラとD2Dリンクに対するリソースをスケジューリングする分離したネットワーク制御ポイントを設ける場合に、効果的に衝突を回避する。よって、無線通信ネットワークにおいて無線デバイスのハンドオーバの間にD2D通信を管理する方法が提供される。
【００２８】
以下に、図２から図７を参照して、３つの異なるD2Dハンドオーバスキームを詳細に説明する。図２から図７は、D2D通信に対して示される実施形態により扱われる異なるハンドオーバの状況を示す。さらに、実施形態を図８から図１３を参照して説明する。
【００２９】
図２Ａと図２Ｂは、いくつかの実施形態による第１のD2Dハンドオーバシナリオを示す。図２Ａにおいて、第１の無線デバイス１２１は、D2Dリンク１４０を介して第２の無線デバイス１２２とD2D通信を行っている。この第１のD2Dハンドオーバシナリオにおいて、第１の無線デバイス１２１は、（２重点線により示されるように、）現在のセル、すなわち、第１のネットワークノードによりサービスを受けている第１のセル１１５のセルラカバレッジから、第２のネットワークノード１１１によりサービスを受ける第２のセル１１６のカバレッジへ移り始める。第１のネットワークノード１１０は、このシナリオでは、ソースネットワークノードとして参照され、第２のネットワークノード１１１は、ターゲットネットワークノードとして参照される。これは、図３を参照して以下に詳細に参照して説明する実施形態のシグナリングのトリガとなり得る。
【００３０】
図２Ｂに示されるように、図３のシグナリングが完了すると、第２の無線デバイス１２１は、第１のネットワークノード１１０から第２のネットワークノード１１１へのハンドオーバを実行する。これは、第１の無線デバイス１２１が、今では第２のセル１１６に位置し、第２のネットワークノード１１１によりサービスを受けることを意味する。図３のシグナリングの結果として、第１の無線デバイス１２１は、なお、D2Dリンク１４０を介して第２の無線デバイス１２２とのD2D通信を行う。第２の無線デバイス１２２は、なお第１のセル１１５に位置し、第１のネットワークノード１１０によりサービスを受ける。
【００３１】
図３は、図２Ａに示す第１のD2Dハンドオーバシナリオによりトリガされるいくつかの実施形態のシグナリングを示す。シグナリングは、主に３つのシグナリングブロックにより説明される。すなわち、D2Dハンドオーバ準備ステージ３０１、D2Dハンドオーバ実行ステージ３０２、そしてD2Dスケジューリングステージ３０３、である。
【００３２】
図３に示すように、シグナリングの前に、第１の無線デバイス１２１は、D2Dリンクを介して第２の無線デバイス１２２とのD2D通信を行っている。第１の無線デバイス１２１と第２の無線デバイス１２２はまた、それぞれ、第１のネットワークノード１１０、すなわちソースネットワークノード１１０を伴ってセルラリンクを確立する。この例において、ソースネットワークノード１１０とターゲットネットワークノード１１１は、互いに同期はしていない。
【００３３】
D2Dハンドオーバ準備ステージ３０１において、第１の無線デバイス１２１による従来の無線でデバイス測定報告により、ソースネットワークノード１１０とターゲットネットワークノード１１１の両方に対するハンドオーバ手順がトリガされる。
【００３４】
アクション３０１ａ。第１の無線デバイス１２１は、ソースネットワークノード１１０へ測定報告を送信する。測定報告は、決定された情報エレメント、MeasConfigと  ReportConfig無線リソース制御（RRC）情報エレメント（IE）に基づく。これらのIEは、ソースネットワークノード１１０により、事前に、第１の無線デバイス１２１と第２の無線デバイス１２２へ送信される。
【００３５】
第１の無線デバイス１２１から測定報告を受信すると、ソースネットワークノード１１０には、第２の無線デバイス１２２とのD2D通信を行う第１の無線デバイスがサービングセルを変更すること、すなわちソースネットワークノード１１０のカバレッジエリアからターゲットネットワークノード１１１のカバレッジエリアに移ろうとしていることが通知される。
【００３６】
アクション３０１ｂ。測定報告に応答して、ソースネットワークノード１１０は、ハンドオーバ要求を、X2インタフェースを介してターゲットネットワークノード１１１へ送信する。ここで、ソースネットワークノード１１０は、ハンドオーバ要求に、第１の無線デバイス１２１はD2D機能を有する無線デバイスであり、該第１の無線デバイス１２１に関連したD2D通信が現在行われているという情報を加えてもよい。これにより、ターゲットネットワークノード１１１は、ターゲットネットワークノード１１１の能力、例えば、D2D通信を管理できるか否かの能力、および、現在のネットワークロードに基づいて、第１の無線デバイス１２１を受け入れることができるかを決定することができる。
【００３７】
アクション３０１ｃ。ハンドオーバ要求に応答して、ターゲットネットワークノード１１１は、ハンドオーバ要求の応答（ACK）を、ソースネットワークノード１１０へ送信することができる。このハンドオーバ要求のACKは、ソースネットワークノード１１０に対して、ターゲットネットワークノード１１１は、第１の無線デバイス１２１のハンドオーバを受け入れる準備ができたことを示す。いくつかの実施形態において、IE MobilityControlInfoは、このシグナリング上でピギーバックされ得る。他の場合、これは、後のターゲットネットワークノード１１１へのアクセスのために、第１の無線デバイス１２１へ送信されてもよい。
【００３８】
次に、D2Dハンドオーバ実行ステージ３０２では、ソースネットワークノード１１０からのコマンドにより、第１の無線デバイス１２１は、サービングネットワークノードを、ターゲットネットワークノード１１１へ切り替えてもよい。このステージでは、いくつかの実施形態によれば、第１の無線デバイス１２１の主なタスクは、ハンドオーバ間でソースネットワークノード１１０とターゲットネットワークノード１１１の間のアップリンクタイミング差を測定し報告することである。アップリンクタイミング差は、ここでは、ソースネットワーク１１０へのアップリンクタイミングと、ターゲットネットワークノード１１１へのアップリンクタイミングの間の差である。
【００３９】
アクション３０２ａ。ソースネットワークノード１１０は、ハンドオーバが開始される前に、D2D通信を中断すべきことを示すメッセージを、第１の無線デバイス１２１と第２の無線デバイス１２２へ送信する。このメッセージを受信することに応答して、第１の無線デバイス１２１と第２の無線デバイス１２２は、第１の無線デバイス１２１と第２の無線デバイス１２２の間のD2D通信を、中断または一時的に停止する。
【００４０】
しかしながら、D2D通信が動的なスケジューリングに基づき、例えば１ｍｓの送信時間間隔毎の短い時間スケールで実行される場合、D2D通信を停止するための独立したシグナリングに対する必要性はないことに注意すべきである。ソースネットワークノード１１０は、D2D通信のスケジューリングを単に停止してもよい。一方、D2D通信がセミパーシステントスケジューリング（Semi-Persistent Scheduling, SPS）に基づき、例えば１００ｍｓ〜５００ｍｓの長い時間スケールで実行される場合、SPSを一時的に中断または一時的に停止する必要があり得る。
【００４１】
いくつかの実施形態において、メッセージは、PDCCHメッセージ上でのセミパーシステントスケジューリング（Semi-Persistent Scheduling）リリースであり得る。これは、例えば、D2D通信のための共有された無線ネットワークテンポラリ識別子（D2D_RNTI）を用いることにより、リソースをリリースするために、第１の無線デバイス１２１と第２の無線デバイス１２２により送信され、受信され得る。
【００４２】
アクション３０２ｂ。このアクションでは、ソースネットワークノード１１０は、第１の無線デバイス１２１は、ソースネットワークノード１１０からターゲットネットワークノード１１１へサービングネットワークノードを切り替えること、すなわちサービングセルを切り替えることを示すメッセージを、第１の無線デバイス１２１へ送信する。切り替えを実行するためにリリースされた情報は、ターゲットネットワークノード１１１からソースネットワークノード１１０により受信されるメッセージ、例えばMobilityControlInfo IEに含まれ得る。いくつかの実施形態において、このメッセージはまた、第１の無線デバイス１２１に対して、ソースネットワークノード１１０とターゲットネットワークノード１１１へのアップリンクタイミングの測定を実行することと、ソースネットワークノード１１０とターゲットネットワークノード１１１の間のアップリンクタイミング差を報告することを指示する。メッセージは、例えば、RRC接続再構成メッセージであり得る。
【００４３】
アクション３０２ｃ。ターゲットネットワークノード１１１との、無衝突または衝突ベースのランダムアクセスチャネル（RACH）手順を通じ、第１の無線デバイス１２１は、ターゲットネットワークノード１１１から、ランダムアクセス応答（RAR）を介して、ターゲットネットワークノード１１１のアップリンクタイミングを取得する。第１の無線デバイス１２１は、その後、ターゲットネットワークノード１１１のアップリンクタイミングと、ソースネットワークノード１１０のアップリンクタイミングとを比較し、ソースネットワークノード１１０とターゲットネットワークノード１１１との間のアップリンクタイミング差を決定する。
【００４４】
このアップリンクタイミング差の内容は変化し得ることに注意すべきである。ソースネットワークノード１１０とターゲットネットワークノード１１１との間のスケジューリングを調整するために、いくつかのサブフレーム程度でのアップリンクタイミング差を取得することで十分である。
【００４５】
しかしながら、例えば、セル間のピア発見のため、または、干渉の調整のため、アップリンクタイミング差の正確性は、より正確な精度のレベル、例えば、シンボルレベルまたはサンプル等のレベルである必要がある。したがって、本実施形態は、アップリンクタイミング差の特定の定量化スキームに限定するように構成されない。
【００４６】
アクション３０２ｄ。このアクションでは、第１の無線デバイス１２１は、第１の無線デバイス１２１がターゲットネットワークノード１１１へのハンドオーバが成功したことを示すメッセージを送信する。このメッセージは、ソースネットワークノード１１０とターゲットネットワークノード１１１との間の決定されたアップリンクタイミング差をも含み、ゆえに、決定されたアップリンクタイミング差はターゲットネットワークノード１１１へ報告され得る。メッセージは、例えば、RRC接続再構成完了メッセージであり得る。
【００４７】
D2Dスケジューリングステージ３０３では、ソースネットワークノード１１０とターゲットネットワークノード１１１は、D2D通信のためのスケジューリングスキーム、すなわち、例えば、現在のセルラとD2D通信モードとの間の時間区分、および、ソースネットワークノード１１０とターゲットネットワークノード１１１のセルタイミングのそれぞれに基づいて、どのサブフレーム送信リソースがD2D通信に対して割り当てられるべきか、を交渉する。結果としてのD2Dスケジューリングスキームは、その後、D2D通信を再開するために、第１の無線デバイス１２１と第２の無線デバイス１２２へ送信される。この手順は、同期しているセルと非同期のセルの両方に適用可能であることにも注意すべきである。
【００４８】
アクション３０３ａ−３０３ｂ。これらのアクションでは、ソースネットワークノード１１０とターゲットネットワークノード１１１は、X2インタフェースを介して、互いにセル間調整メッセージを送信する。メッセージは、例えば、スケジューリング調整要求メッセージとスケジューリング調整要求ACKメッセージである。ソースネットワークノード１１０とターゲットネットワークノード１１１は、D2D通信のために使用されるサブフレームの時間位置についての合意をとる必要がある。そうでないと、ソースネットワークノード１１０は、D2D通信のためにサブフレームをスケジュールするのに対し、ターゲットネットワークノード１１１は、セルラ通信のために同じサブフレームをスケジュールしてしまう。それにより、スケジューリングの衝突が起こる。
【００４９】
ソースネットワークノード１１０とターゲットネットワークノード１１１との間のX2シグナリングの内容は、変化し得ることに注意すべきである。例えば、セルラサブフレームに対して０、D2Dサブフレームに対して１、というように、各サブフレームに対して、数値または２進値をとることが可能である。他の例によれば、交渉できるサブフレームに対して、例えば、値２、のように、より多くの情報がそこに含まれ得る。ソースネットワークノード１１０は、D2D通信のためのサブフレーム割り当てに優先権を有するので、これは好都合なことである。
【００５０】
さらに、この交渉の手順は、変化し得る。それは、ソースネットワークノード１１０またはターゲットネットワークノード１１１によりトリガされ、他方によって、許容／拒絶され得る。他の交渉手順も想定可能である。
【００５１】
アクション３０３ｃ−３０３ｄ。D2Dスケジューリングスキームがソースネットワークノード１１０とターゲットネットワークノード１１１により合意された場合、ソースネットワークノード１１０とターゲットネットワークノード１１１は、第１の無線デバイス１２１と第２の無線デバイス１２２それぞれに対して、D2Dスケジューリングスキームを送信する。これは、SPS手順を介して行われる。例えば、SPS有効化PDCCHメッセージは、ソースネットワークノード１１０とターゲットネットワークノード１１１により使用され得る。
【００５２】
D2Dスケジューリングスキームを受信することに応答して、第１の無線デバイス１２１と第２の無線デバイス１２２は、受信したD2Dスケジューリングスキームに基づいて、D2D通信を再開する。また、これに続いて、第１の無線デバイス１２１と第２の無線デバイス１２２は、D2DベアラのTDD構成に基づいて、D2D通信の更なる事項、例えば、リソース位置、HARQタイミングを決定する。
【００５３】
本実施形態を通して使用されている「再開する」という言葉は、中断された時間におけるポイントからD2D通信を続けるものとして解釈される。
【００５４】
図４Ａと図４Ｂは、いくつの実施形態における第２のD2Dハンドオーバシナリオを示す。図４Ａでは、第１の無線デバイス１２１は、D2Dリンク１４０を介して第２の無線デバイス１２２とD2D通信を行っている。第１の無線デバイス１２１は、第２の無線デバイス１２２とは異なるセル、すなわち、第２の無線ネットワークノード１１１によりサービスされる第２のセル１１６に属している。例えば、上述した第１のシナリオの結果として、この状況は起こり得る。
【００５５】
この第２のD2Dハンドオーバシナリオにおいて、第１の無線デバイス１２１は、現在のセル、すなわち、第２のネットワークノード１１１によりサービスされる第２のセル１１６のセルラカバレッジを出て、第１のネットワークノード１１０によりサービスされる（２重点線矢印で示される）第１のセル１１５のセルラカバレッジに入る。これは、第１の無線デバイス１２１は、第２の無線デバイス１２２のセルに入ることを意味している。
【００５６】
このシナリオでは、第２のネットワークノード１１１は、ソースネットワークノードとして参照される。そして、第１のネットワークノード１１０はターゲットネットワークノードとして参照される。これは、図５を参照して以下に説明する実施形態のシグナリングをトリガし得る。
【００５７】
図４Ｂに示すように、この図５のシグナリングが完了すると、第１の無線デバイス１２１は、第２のネットワークノード１１１から第１のネットワークノード１１０へのハンドオーバを実行する。これは、第１の無線デバイス１２１が第１のセル１１５に位置し、第１のネットワークノード１１０によりサービスを受けることを意味する。図５のシグナリングの結果として、第１の無線デバイス１２１は、D2Dリンク１４０を介して、第２の無線デバイス１２２とのD2D通信を維持する。第１の無線デバイス１２１と第２の無線デバイス１２２は両方同じセル、すなわち第１のセル１１５に位置しているので、第１のネットワークノード１１０は、D2D通信の単一のネットワーク制御ポイントを構成し、自身でD2D通信をスケジューリングすることができる。
【００５８】
図５は、図４Ａに示される第２のD2Dハンドオーバシナリオによりトリガされるいくつかの実施形態のシグナリングを示す。シグナリングは、主たる２つのシグナリングブロックとして、D2Dハンドオーバ準備ステージ５０１と、D2Dハンドオーバ実行ステージ５０２により説明される。
【００５９】
図５に示すように、シグナリングの前に、第１の無線デバイス１２１は、２つの異なるセル内で、D2Dリンクを介して第２の無線デバイス１２２とD2D通信を行っている。第１の無線デバイス１２１と第２の無線デバイス１２２はまた、それぞれ、第２および第１のネットワークノード１１１、１１０、すなわちソースネットワークノードとターゲットネットワークノードを伴って確立されたセルラリンクを有している。この例では、ソースネットワークノード１１１とターゲットネットワークノード１１０は互いに同期していない。
【００６０】
D2Dハンドオーバ準備ステージ５０１では、第１の無線デバイス１２２による従来の無線デバイス測定報告により、ソースネットワークノード１１１とターゲットネットワークノード１１０の両方に対するハンドオーバ手順がトリガされる。
【００６１】
アクション５０１ａ。第１の無線デバイス１２１は、ソースネットワークノード１１１へ測定報告を送信する。第１の無線デバイス１２１から測定報告を受信すると、ソースネットワークノード１１１には、第１の無線デバイス１２１がサービングセルを変更する意図があること、すなわち、ソースネットワークノード１１１のカバレッジエリアからターゲットネットワークノード１１０のカバレッジエリアに移動する意図があることが通知される。
【００６２】
アクション５０１ｂ。測定報告に応答して、ソースネットワークノード１１１は、X2インタフェースを介してターゲットネットワークノード１１０に対してハンドオーバ要求を送信する。ここで、ソースネットワークノード１１１は、ハンドオーバ要求に、第１の無線デバイス１２２１はD2D機能を有する無線デバイスであるという情報を加えてもよい。
【００６３】
アクション５０１ｃ。ハンドオーバ要求に応答して、ターゲットネットワークノード１１０は、ソースネットワークノード１１１に対して、ハンドオーバ要求応答（ACK）を送信する。このハンドオーバ要求ACKは、ソースネットワークノード１１１に対して、ターゲットネットワークノード１１０が第１の無線デバイス１２１のハンドオーバを受け入れる準備があることを示す。
【００６４】
次に、D2Dハンドオーバ実行ステージ５０２では、ソースネットワークノード１１１によるコマンドにより、第１の無線デバイス１２１は、サービングネットワークノードを、ターゲットネットワークノード１１０へ切り替える。しかしながら、この第２のシナリオでは、第１の無線デバイス１２１は、第２の無線デバイス１２２と同じセルへ移動し、同じネットワークノードの制御に入るので、第１の無線デバイス１２１は、アップリンクタイミング差を測定して報告する必要はない。これは、両方の無線デバイスは同じネットワークノードによりサービスを受けることから、アップリンクタイミング差は、もはや無いことを意味する。
【００６５】
アクション５０２ａ。ソースネットワークノード１１１は、D2D通信はハンドオーバが開始される前に中断されるべきであることを第１の無線デバイス１２１に示すメッセージを送信する。このメッセージを受信することに応答して、第１の無線デバイス１２１は、第１の無線デバイス１２１と第２の無線デバイス１２１間のD2D通信を中断または一時的に停止し得る。
【００６６】
アクション５０２ｂ。ターゲットネットワークノード１１０は、ハンドオーバが開始される前に、D2D通信を中断すべきであるということを第２の無線デバイス１２２へ示すメッセージを送信する。このメッセージを受信することに応答して、第２の無線デバイス１２２は、第１の無線デバイス１２１と第２の無線デバイス１２１間のD2D通信を中断または一時的に停止することができる。
【００６７】
アクション５０２ｃ。このアクションでは、ソースネットワークノード１１１は、第１の無線デバイス１２１は、サービングネットワークノードをソースネットワークノード１１１からターゲットネットワークノード１１０へ切り替えること、すなわちサービングセルを切り替えることを示すメッセージを、第１の無線デバイス１２１に送信する。このメッセージは、例えば、RRC接続再構成メッセージであり得る。
【００６８】
アクション５０２ｄ。このアクションでは、第１の無線デバイス１２１は、無衝突または衝突ベースのランダムアクセスチャネル（RACH）手順を、ターゲットネットワークノードと共に、あらゆるアップリンクタイミングを取得する必要なしに、実行する。
【００６９】
アクション５０２ｅ。このアクションでは、第１の無線デバイス１２１は、第１の無線デバイス１２１のハンドオーバが成功したことを示すメッセージをターゲットネットワークノード１１０へ送信する。このメッセージは、例えば、RRC接続再構成完了メッセージである。
【００７０】
アクション５０２ｆ。ターゲットネットワークノード１１０は、D2D通信のためのスケジューリングスキームを決定する。結果としてのD2Dスケジューリングスキームは、D2D通信を再度開始するために、第１の無線デバイス１２１と第２の無線デバイス１２２の両方に送信される。そして、D2DベアラのTDD構成に基づいて、第１の無線デバイス１２１と第２の無線デバイス１２２は、D2D通信のために、HARQタイミング等のリソース位置を決定する。
【００７１】
図６Ａ〜図６Ｂは、いくつかの実施形態による第３のD2Dハンドオーバシナリオを示す。図６Ａにおいて、第１の無線デバイス１２１は、D2Dリンク１４０を介して第２の無線デバイス１２２とD2D通信を行っている。第１の無線デバイス１２１はまた、この場合、第２の無線デバイス１２２と異なるセル、すなわち第２のネットワークノード１１１によりサービスされる第２のセル１１６に位置している。上述した第１のシナリオの結果として、例えばこの状況は起こり得る。
【００７２】
この第３のD2Dハンドオーバシナリオにおいて、第１の無線デバイス１２１は、現在のセル、すなわち、第２のネットワークノード１１１によりサービスされる第２のセル１１６のセルラカバレッジを出て、（二重点線矢印により示されるように）第３のネットワークノード１１２によりサービスされる第３のセル１１７のセルラカバレッジに入る。第２のネットワークノード１１１は、このシナリオではソースネットワークノードとして参照され、第３のネットワークノード１１２はターゲットネットワークノードとして参照される。これは、図７を参照して以下に説明する実施形態のシグナリングをトリガし得る。
【００７３】
図６Ｂに示すように、図７のこのシグナリングが一度完了すると、第１の無線デバイス１２１は、第２のネットワークノード１１１から第３のネットワークノード１１２へのハンドオーバを実行する。
【００７４】
これは、第２の無線デバイス１２１が、その後第３のセル１１７に位置し、第３のネットワークノード１１３によりサービスを受けることを意味する。図７のシグナリングの結果として、第１の無線デバイス１２１はまた、D2Dリンク１４０を介して第２の無線デバイス１２２とのD2D通信を維持する。ここで、第２の無線デバイス１２２は、第１のセル１１５にまだ位置し、第１のネットワークノード１１０によりサービスを受ける。
【００７５】
図７は、図６Ａに示す第３のD2Dハンドオーバシナリオによりトリガされるいくつかの実施形態のシグナリングを示す。シグナリングは、３つの主たるシグナリングブロックにより説明される。すなわち、D2Dハンドオーバ準備ステージ６０１、D2Dハンドオーバ実行ステージ６０２、およびD2Dスケジューリングステージ６０３、である。
【００７６】
図７に示すように、シグナリングの前に、第２の無線デバイス１２１は、２つの異なるセル、すなわち、第２のセル１１６と第１のセル１１５の間でD2Dリンクを介して、第２の無線デバイス１２２とD2D通信を行っている。第１の無線デバイス１２１と第２の無線デバイス１２２は、それぞれ、第２のネットワークノード１１１と第１のネットワークノード１１０を伴って確立されたセルラリンクを有する。この例において、第２のネットワークノードと第１のネットワークノードを含むネットワークノードは、互いに同期していない。
【００７７】
D2Dハンドオーバ準備ステージ７０１では、第１の無線デバイス１２１による従来の無線デバイス測定報告により、ソースネットワークノード１１１、ターゲットネットワークノード１１２および第２のネットワークノード１１０にするハンドオーバ手順がトリガされる。
【００７８】
アクション７０１ａ。第１の無線デバイス１２１は、ソースネットワークノード１１１へ測定報告を送信する。第１の無線デバイス１２１から測定報告を受信すると、ソースネットワークノード１１１には、セル１１５において第２の無線デバイス１２２とD2D通信を行っている第１の無線デバイス１２１が、サービングセルを変更することを意図していること、すなわち、ソースネットワークノード１１１のカバレッジエリアを出て、ターゲットネットワークノード１１２のカバレッジエリアに入ることを意図していることが通知される。
【００７９】
アクション７０１ｂ。測定報告に応答して、ソースネットワークノード１１１は、X2インタフェースを介して、ハンドオーバ要求をターゲットネットワークノード１１２に送信する。ここで、ソースネットワークノード１１１は、ハンドオーバ要求に、第１の無線デバイス１２１はD2D機能を有する無線デバイスであり、第１の無線デバイス１２１に関連するD2D通信を行っているという情報を追加してもよい。これにより、ターゲットネットワークノード１１２は、ターゲットネットワークノード１１２の能力、例えば、D2D通信を管理することができる否か、および、現在のネットワーク負荷に基づいて、第１の無線デバイス１２１を受け入れるかを決定することが可能となる。
【００８０】
アクション７０１ｃ。ハンドオーバ要求に応答して、ターゲットネットワークノード１１２は、ハンドオーバ要求応答ACKをソースネットワークノード１１１に対して送信する。このハンドオーバ要求ACKは、ソースネットワークノード１１１に対して、ターゲットネットワークノード１１２が第１の無線デバイス１２１のハンドオーバを受け入れる準備があることを示している。いくつかの実施形態において、IE MobilityControlInfoは、このシグナリング上でピギーバックされる。他の場合、これはターゲットネットワークノード１１２へのアクセスのために、後に第１の無線デバイス１２１へ送信される。
【００８１】
アクション７０１ｄ。さらに、このアクションでは、ソースネットワークノード１１１は、D2D通信のためのD2Dリソースを一時的にリリースすることを示すメッセージ、すなわち、D2D通信が中断されるべき、または一時的に停止されるべきであることを第１のネットワークノード１１０へ示すメッセージを、第１のネットワークノード１１０へ送信する。これは、第１の無線デバイス１２１のハンドオーバが開始される前に行われる。
【００８２】
次に、D2Dハンドオーバ実行ステージ７０２では、ソースネットワークノード１１１からのコマンドにより、第１の無線デバイス１２１は、サービングネットワークノードを、ターゲットネットワークノード１１２に切り替える。いくつかの実施形態によれば、このステージでは、第１の無線デバイス１２１の主たるタスクは、ハンドオーバの間、ソースネットワークノード１１１とターゲットネットワークノード１１２間のアップリングタイミング差を測定し、報告することである。ここで、アップリンクタイミング差は、ソースネットワークノード１１１へのアップリンクタイミングと、ターゲットネットワークノード１１２へのアップリンクタイミングとの間の差である。
【００８３】
アクション７０２ａ。アクション７０１ｄにおけるソースネットワークノード１１１からのメッセージに応答して、第１のネットワークノード１１０は、D2D通信はハンドオーバが開始される前に中断されるべきであることを第２の無線デバイス１２２へ示すメッセージを送信する。このメッセージを受信することに応答して、第２の無線デバイス１２２は、第１の無線デバイス１２１と第２の無線デバイス１２２との間のD2D通信を中断または一時的に停止し得る。
【００８４】
アクション７０２ｂ、ソースネットワークノード１１１は、D2D通信はハンドオーバが開始される前に中断されるべきであることを第１の無線デバイス１２１へ示すメッセージを送信する。このメッセージを受信することに応答して、第１の無線デバイス１２１は、第１の無線デバイス１２１と第２の無線デバイス１２２との間のD2D通信を中断し得る。D2D通信は、アクション７０２ａにおいて第２の無線デバイス１２２により、または、このアクション７０２ｂにおいて述べたように第１の無線デバイス１２１により、または、第１の無線デバイス１２１と第２の無線デバイス１２２の両方により、中断され得ることに注意すべきである。
【００８５】
アクション７０２ｃ。このアクションでは、ソースネットワークノード１１１は、第１の無線デバイス１２１は、サービングネットワークノードを、ソースネットワークノード１１１からターゲットネットワークノード１１２に切り替えること、すなわち、サービングセルを切り替えることを示すメッセージを、第１の無線デバイス１２１へ送信する。切り替えを実行するための関連した情報は、例えばX2シグナリングを介してターゲットネットワークノード１１２からソースネットワークノード１１１により受信された、MobilityControlInfo IEのようなメッセージに含まれ得る。いくつかの実施形態によれば、このメッセージは、また、ソースネットワークノード１１１とターゲットネットワークノード１１２へのアップリンクタイミングの測定を実行し、ソースネットワークノード１１１とターゲットネットワークノード１１２の間のアップリンクタイミング差を報告することを、第１の無線デバイス１２１へ指示し得る。メッセージは、例えばRRC接続再構成メッセージであり得る。
【００８６】
アクション７０２ｄ。ターゲットネットワークノード１１２との間の無衝突または衝突ベースのランダムアクセスチャネル（RACH）手順を通じて、第１の無線デバイス１２１は、ターゲットネットワークノード１１２から、ランダムアクセス応答（RAR）メッセージ介して、ターゲットネットワークノード１１２のアップリンクタイミングを取得する。第１の無線デバイス１２１は、その後、ターゲットネットワークノード１１２のアップリンクタイミングを、ソースネットワークノード１１１のアップリンクタイミングと比較し、ソースネットワークノード１１１とターゲットネットワークノード１１２の間のアップリンクタイミング差を決定する。
【００８７】
アップリンクタイミング差の内容は、変化し得ることに注意すべきである。ソースネットワークノード１１１とターゲットネットワークノード１１２の間のスケジューリングの調整のために、いくつかのサブフレームでのアップリンクタイミング差を取得することで十分である。
【００８８】
アクション７０２ｅ。このアクションでは、第１の無線デバイス１２１は、第１の無線デバイス１２１のハンドオーバが成功したことを示すメッセージを、ターゲットネットワークノード１１２へ送信する。このメッセージは、ソースネットワークノード１１１とターゲットネットワークノード１１２の間の決定されたアップリンクタイミング差を含み、ゆえに、決定されたアップリンクタイミング差は、ターゲットネットワークノード１１２へ報告される。メッセージは、例えば、RRC接続再構成完了メッセージであり得る。
【００８９】
D2Dスケジューリングステージ７０３では、ターゲットネットワークノード１１２と第１のネットワークノード１１０は、D2D通信のためのスケジューリングスキーム、すなわち、どのサブフレーム送信リソースがD2D通信のために割り当てられるべきかを交渉する。これは、例えば、現在のセルラとD2D通信モードとの間の時間区分、および、ターゲットネットワークノード１１２と第１のネットワークノード１１０のセルタイミングにそれぞれ基づく。
【００９０】
この交渉は、ターゲットネットワークノード１１２と第１のネットワークノードとの間のブリッジとして動作するソースネットワークノード１１１を介して行われる。結果としてのD2Dスケジューリングスキームは、第１の無線デバイス１２１と第２の無線デバイス１２２それぞれのネットワークノードがD2D通信を再開するために、第１の無線デバイス１２１と第２の無線デバイス１２２の両方へ送信される。この手順は、同期しているセルと非同期のセルの両方に適用可能であることに注意すべきである。
【００９１】
アクション７０３ａ−７０３ｂ。これらのアクションでは、ターゲットネットワークノード１２０と第１のネットワークノード１１０は、X2インタフェースを介して、互いの間でセル間調整メッセージを送信する。これは、各ネットワークノードへ向かってメッセージを受信し送信するソースネットワークノード１１１を介して実行される。メッセージは、例えば、スケジューリング調整要求メッセージ、スケジューリング調整要求ACKメッセージであり得る。
【００９２】
ここで、ターゲットネットワークノードは、ソースネットワークノード１１１とターゲットネットワークノード１１２との間のアップリンクタイミング差のみを認識し得るが、第１のネットワークノード１１０のアップリンクタイミングはわからない。しかしながら、ソースネットワークノード１１１は、自身と第１のネットワークノード１１０の間のアップリンクタイミング差を認識する。したがって、この情報をターゲットネットワークノード１１２へ伝達することにより、ターゲットネットワークノードは、ターゲットネットワークノード１１２と第１のネットワークノード１１０との間のアップリンクタイミング差を決定し得る。
【００９３】
ターゲットネットワークノード１１２と第１のネットワークノード１１０は、D2D通信に使用するためのサブフレームの時間位置について合意を得る必要がある。そうしないと、前述したように、D2Dスケジューリングの衝突が起こり得る。
【００９４】
ターゲットネットワークノード１１２と第１のネットワークノード１１０の間のX2シグナリングの内容は、変化し得ることに注意すべきである。例えば、セルラのサブフレームに対しては０、D2Dサブフレームに対しては１、のように、各サブフレームに対して２値の値とすることが可能である。別の例によれば、例えば、交渉可能なサブフレームに対しては２、というように、より多くの情報がここに含まれ得る。
【００９５】
さらに、この交渉の手順は、変化し得る。例えば、ターゲットネットワークノード１１２または第１のネットワークノード１１０によりトリガされ、他方によって、許容または拒絶され得る。他の例によれば、アップリンクタイミング差を取得するために、ソースとターゲットネットワークノードとの間の事前の交渉手順があり、または、第１のネットワークノード１１０とソースネットワークノード１１１の間にいくつかの交渉手順が実装され得る。さらなる交渉手順も、同じ結果を伴って想定され得る。
【００９６】
アクション７０３ｃ−７０３ｄ。D2Dスケジューリングスキームが、ターゲットネットワークノード１１２と第１のネットワークノード１１０により合意された場合、ターゲットネットワークノード１１２と第１のネットワークノード１１０は、それぞれ第１の無線デバイス１２１と第２の無線デバイス１２２に対して、D2Dスケジューリングスキームを送信する。これは、SPS手順を介して行われ得る。例えば、SPS有効化DPCCHメッセージがターゲットネットワークノード１１２と第と第１のネットワークノード１１０により使用され得る。
【００９７】
D2Dスケジューリングスキームを受信することに応答して、第１の無線デバイス１２１と第２の無線デバイス１２２は、受信したD2Dスケジューリングスキームに基づいて、D2D通信を再開する。また、これに続いて、第１の無線デバイス１２１と第２の無線デバイス１２２は、D2DベアラのTDD構成に基づいて、D2D通信の更なる事項、例えば、リソース位置、HARQタイミングを決定する。
【００９８】
第１の無線デバイス１２１がソースネットワークノード１１０、１１１からターゲットネットワークノード１１１、１１２へハンドオーバする間に、第２の無線デバイス１２２とのD2D通信を管理するために第１の無線デバイス１２１により実行される方法の実施形態の例を、図８に示すフローチャートを参照して説明する。
【００９９】
ここで、方法は、第１の無線デバイス１２１の観点から説明される。
【０１００】
方法は、以下のアクションを含み得る。これらのアクションはあらゆる適切な順番により実行される。
【０１０１】
アクション８０１。このアクションでは、第１の無線デバイス１２１は、D2D通信を中断する。これは、ハンドオーバが開始される前に、D2D通信を中断するための指示をソースネットワークノードから受信することに応答して行われる。例えば、上述のアクション３０１ａ、５０２ａ、７０２ｂである。
【０１０２】
アクション８０２。このアクションでは、第１の無線デバイス１２１は、ソースネットワークノードへのアップリンクタイミングと、ターゲットネットワークノードへのアップリンクタイミングｔｐの間の差としての第１のアップリンクタイミング差を決定する。
【０１０３】
いくつかの実施形態では、第１の無線デバイス１２１は、ハンドオーバの間に第１の無線デバイス１２１とターゲットネットワークノードとの間で実行されるランダムアクセス手順の一部として、ターゲットネットワークノードへのアップリンクタイミングを決定する。アップリンクタイミング差は、例えば、いくつかのサブフレーム程度で決定され得る。
【０１０４】
アクション８０３。第１のアップリンクタイミング差に基づいて、第１の無線デバイス１２１は、D2D通信を再構成する。
【０１０５】
いくつかの実施形態において、これは、ハンドオーバが完了した後に、第１の無線デバイス１２１により、決定された第１のアップリンクタイミング差をターゲットネットワークノードへ送信することにより、行われ得る。例えば、上述のアクション３０２ｄ、５０２ｅ、および７０２ｅである。
【０１０６】
いくつかの実施形態において、これは、第１の無線デバイス１２１により、第２のアップリンクタイミング差をターゲットネットワークノードへ送信することによっても達成され得る。これは、第２のアップリンクタイミング差がD2D通信のために第１の無線デバイスにより決定されたときに、起こり得る。第２のアップリンクタイミング差は、ターゲットネットワークノードへのアップリンクタイミングと、第３のネットワークノードへのアップリンクタイミングとの差である。例えば、上述のアクション７０２ｅである。
【０１０７】
その後、それに応じて、第１の無線デバイス１２１は、ターゲットネットワークノードからD2D通信のためのスケジューリングスキームを受信する。スケジューリングスキームは、ここでは、D2D通信のために送信リソースが割り当てられ得るサブフレームの時間位置を示す。例えば、上述のアクション３０２ｄ、５０２ｆおよび７０３ｄである。
【０１０８】
アクション８０４。このアクションでは、第１の無線デバイス１２１は、アクション８０３で再構成されたD2D通信を再開する。
【０１０９】
無線電気通信ネットワークにおいて、第１の無線デバイス１２１がソースネットワークノードからターゲットネットワークノードへハンドオーバする間に第１の無線デバイス１２１と第２の無線デバイス１２２との間のD2D通信を管理するためのターゲットネットワークノードにより実行される方法の実施形態の例を、図９に示すフローチャートを参照して説明する。
【０１１０】
ここで、方法は、ターゲットネットワークノードの観点から説明される。ここでは、ターゲットネットワークノードは、図２と図３を参照して、上記に示して説明したような第１のハンドオーバシナリオにおいて、第２の無線ネットワークノード１１１、または、図６と図７を参照して上記に示して説明したようなD2Dハンドオーバシナリオにおいて、第３のネットワークノード１１２であり得る。
【０１１１】
方法は、以下のアクションを含み、これらのアクションは、あらゆる好適な順序をとり得る。
【０１１２】
アクション９０１。このアクションでは、ターゲットネットワークノードは、ハンドオーバシナリオが完了した後、第１の無線デバイス１２１から、少なくとも第１の無線デバイス１２１の第１のアップリンクタイミング差を受信する。例えば、上述の３０２ｄ、５０２ｅ、および７０２ｅである。いくつかの実施形態において、ターゲットネットワークノードは、第１の無線デバイス１２１から、第１の無線デバイス１２１の第２のアップリンクタイミング差も受信する。例えば、上述の７０２ｅである。
【０１１３】
アクション９０２。このアクションでは、ターゲットネットワークノードは、少なくとも第１の無線デバイス１２１の第１のアップリンクタイミング差に基づいて、D2D通信のためのスケジューリングスキームを決定する。第１のアップリンクタイミング差は、ソースネットワークノードへの第１の無線デバイス１２１のアップリンクタイミングと、ターゲットネットワークノードへの第１の無線デバイス１２１のアップリンクタイミングとの差である。
【０１１４】
いくつかの実施形態において、これは、X2インタフェースを介したソースネットワークノードとの通信を通じて、ターゲットネットワークノードにより、送信リソースがD2D通信のために割り当てられるサブフレームの時間位置が決定されることにより実行される。例えば、上述のアクション３０３ａ−３０３ｂおよびアクション７０３ａ−７０３ｂである。
【０１１５】
いくつかの実施形態において、ターゲットネットワークノードが第１の無線デバイス１２１から第１の無線デバイスの第２のアップリンクタイミング差も受信した場合、これは、第１の無線デバイス１２１の第２のアップリンクタイミング差に基づいて、ターゲットネットワークノードによりさらに実行され得る。第１の無線デバイス１２１の第２のアップリンクタイミング差は、ここでは、ソースネットワークノードへの第２の無線デバイスのアップリンクタイミングと、第３のネットワークノードへの第１の無線デバイス１２１のアップリンクタイミングとの差である。例えば、上述のアクション７０３ａ−７０３ｂである。
【０１１６】
加えて、決定は、第３のネットワークノードが第２の無線デバイス１２１にサービスしている場合に、ターゲットネットワークノードによる第３のネットワークノードとの通信により、実行され得る。例えば、上述のアクション７０３ａ−７０３ｂである。
【０１１７】
アクション９０３。このアクションでは、ターゲットネットワークノードは、D2D通信のスケジューリングスキームを第１の無線デバイス１２１へ送信する。例えば、上述のアクション３０３ｄ、５０２ｆ、および７０３ｄである。
【０１１８】
無線電気通信ネットワークにおいて、第１の無線デバイス１２１がソースネットワークノードからターゲットネットワークノードへハンドオーバする間に第１の無線デバイス１２１と第２の無線デバイス１２２との間のD2D通信を管理するためのソースネットワークノードにより実行される方法の実施形態の例を、図１０に示すフローチャートを参照して説明する。
【０１１９】
ここで、方法は、ソースネットワークノードの観点から説明される。ソースネットワークノードは、ここでは、図２から図６を参照して上記に示して説明したような第１および第２のD2Dハンドオーバシナリオにおいて、第１の無線ネットワークノード１１０、または、図６と図７を参照して上記に説明したような第３のD2Dハンドオーバシナリオにおける第２の無線ネットワークノード１１１であり得る。
【０１２０】
方法は、以下のアクションを含み、これらのアクションは、あらゆる好適な順序をとり得る。
【０１２１】
アクション１００１。このアクションでは、ソースネットワークノードは、ハンドオーバが開始される前に、少なくとも第２の無線デバイス１２２へ、D2D通信を中断するための指示を送信する。例えば、上述のアクション３０２ａ、５０２ａである。
【０１２２】
アクション１００２。このアクションでは、ソースネットワークノードは、ハンドオーバが完了した後に、少なくとも第１の無線デバイスの第１のアップリンクタイミング差に基づいて、D2D通信のためのスケジューリングスキームを決定する。第１のアップリンクタイミング差は、ソースネットワークノードへの第１の無線デバイス１２１のアップリンクタイミングと、ソースネットワークノードへの第１の無線デバイスのアップリンクタイミングとの差である。
【０１２３】
いくつかの実施形態において、これは、X2インタフェースを介したターゲットネットワークノードとの通信を通じて、ターゲットネットワークノードにより、送信リソースがD2D通信のために割り当てられるサブフレームの時間位置が決定されることにより実行される。例えば、上述のアクション３０３ａ−３０３ｂおよびアクション７０３ａ−７０３ｂである。
【０１２４】
アクション１００３。このアクションでは、ソースネットワークノードは、D2D通信のスケジューリングスキームを第２の無線デバイス１２２へ送信する。例えば、上述のアクション３０３ｃおよびアクション７０３ｃである。
【０１２５】
無線電気通信ネットワークにおいて、第１の無線デバイス１２１のソースネットワークノードからターゲットネットワークノードへのハンドオーバの間、第２の無線デバイス１２２とのD2D通信を管理するための方法のアクションを実行するために、第１の無線デバイス１２１は、図１１に示される以下の配置を含み得る。
【０１２６】
図１１は、第１の無線デバイス１２１の実施形態の概略ブロック図である。
【０１２７】
第１の無線デバイス１２１は、処理ユニット１１１０を有する。これは、処理回路や、プロセッサ、とも称される。処理ユニット１１１０は、中断／再開始ユニット１１０１、決定ユニット１１０２、再構成ユニット１１０３、および送受信ユニット１１０４を有する、またはこれらに接続されるように構成される。
【０１２８】
中断／再開ユニット１１０１は、D2D通信を中断するように構成される。いくつかの実施形態において、これは、ハンドオーバが開始される前に、ソースネットワークノードから、D2D通信を中断するための指示を受信することに応答して実行され得る。また、中断／再開ユニット１１０１は、D2D通信が再構成されたときに、D2D通信を再開するようにも構成されている。
【０１２９】
決定ユニット１１０２は、ソースネットワークノードへのアップリンクタイミングと、ターゲットネットワークノードへのアップリンクタイミングとの差としての第１のアップリンクタイミング差を決定するように構成される。いくつかの実施形態において、送受信ユニット１１０４は、ハンドオーバが完了した後に、決定された第１のアップリンクタイミング差を、ターゲットネットワークノードへ送信するように構成される。そして、いくつかの実施形態では、送受信ユニット１１０４は、ターゲットネットワークノードから、D2D通信のためのスケジューリングスキームを受信する。スケジューリングスキームは、送信リソースがD2D通信のために割り当てられ得るサブフレームの時間位置を指定する。
【０１３０】
いくつかの実施形態において、決定ユニット１１０２は、D2D通信のために、第１の無線デバイス１２１により決定された第２のアップリンクタイミング差を決定するようにも構成され得る。この場合、送受信ユニット１１０４は、さらに、ターゲットネットワークノードへ第２のアップリンクタイミング差を送信するように構成される。第２のアップリンクタイミング差は、ソースネットワークノードへのアップリンクタイミングと、第３のネットワークノードへのアップリンクタイミングとの差である。
【０１３１】
再構成ユニット１１０３は、第１のアップリンクタイミング差に基づいて、D2D通信を再構成するように構成される。
【０１３２】
第１の無線デバイス１２１においてD2D通信を管理するための実施形態は、図１１に示す第１の無線デバイス１２１における処理ユニット１１０１等のプロセッサの１つ以上を介して、本実施形態の機能およびアクションを実行するためのコンピュータプログラムコードを伴って実装され得る。前述のプログラムコードは、コンピュータプログラム製品としても提供され得る。例えば、第１の無線デバイス１２１へロードされたときに、本実施形態を実行するためのコンピュータプログラムコードを運ぶデータキャリアの形式である。コンピュータプログラムコードは、例えば、無線デバイス１２１における、またはサーバ上の純粋なプログラムコードとして提供される、または、無線デバイス１２１へダウンロードされる。
【０１３３】
第１の無線デバイス１２１は、さらに、１つ以上のメモリユニットを有するメモリ１１２０を有する。メモリ１１２０は、第１の無線デバイス１２１において実行される場合に本方法を実行するためのデータを記憶するために使用するように配置される。このデータは、例えば、送信バーストのエネルギーが第２のエネルギーレベルに増加すべきところの１つ以上の間隔に関する情報である。
【０１３４】
当業者であれば、上述した処理ユニット１１１０とメモリ１１２０は、さらに、アナログ回路およびデジタル回路の組み合わせ、メモリ等に格納されているソフトウェア並びに／またはファームウェアを用いて構成された１つ以上のプロセッサを参照し、処理ユニット１１１０のようなプロセッサの１つ以上により実行される場合に、上述のことを実行することも、理解するだろう。１つ以上のこれらのプロセッサ、並びに、他のデジタルハードウェアは、単一の特定用途向け集積回路（ASIC）に含まれ得る。または、いくつかのプロセッサと多種のデジタルハードウェアは、個々にパッケージされているか、システムオンチップ（SoC）にアレンブルされているかにかかわらず、いくつかの分離したコンポーネント間で分散され得る。
【０１３５】
第１の無線デバイス１２１がソースネットワークノードからターゲットネットワークノードへハンドオーバする間に第１の無線デバイス１２１と第２の無線デバイス１２２との間のD2D通信を管理するための方法のアクションを実行するために、ターゲットネットワークノードは、図１２に示す以下の配置を含む。
【０１３６】
図１２は、ターゲットネットワークノードの実施形態の概略ブロック図である。ターゲットネットワークノードは、図２から図３を参照して上記に示して説明したような第１のD2Dハンドオーバシナリオにおける第２の無線ネットワークノード１１１、または、図４から図５を参照して上記に示して説明したような第１のD2Dハンドオーバシナリオにおける第１の無線ネットワークノード１１０、または、図６から図７を参照して上記に示して説明したような第３のD2Dハンドオーバシナリオにおける第３の無線ネットワークノード１１２であり得る。
【０１３７】
ターゲットネットワークノードは、処理ユニット１２１０を含む。これは、処理回路とも称される。処理ユニット１２１０は、決定ユニット１２０１、および送受信ユニット１２０２を有する、またはこれらに接続されるように構成される。
【０１３８】
送受信ユニット１２０２は、ハンドオーバが完了した後、第１の無線デバイス１２１から、少なくとも第１の無線デバイス１２１の第１のアップリンクタイミング差を受信するように構成される。いくつかの実施形態において、送受信ユニット１２０２は、D2D通信のスケジューリングスキームを第１の無線デバイス１２１へ送信するように構成される。いくつかの実施形態において、送受信ユニット１２０２はまた、第１の無線デバイス１２１から、第１の無線デバイス１２１の第２のアップリンクタイミング差も受信するように構成される。
【０１３９】
決定ユニット１２０１は、少なくとも第１の無線デバイス１２１の第１のアップリンクタイミング差に基づいて、D2D通信のためのスケジューリングスキームを決定するように構成される。第１のアップリンクタイミング差は、ソースネットワークノードへの第１の無線デバイス１２１のアップリンクタイミングと、ターゲットネットワークノードへの第１の無線デバイス１２１のアップリンクタイミングとの差である。いくつかの実施形態において、決定ユニット１２０１は、X2インタフェースを介したソースネットワークノードとの通信を通じて、送信リソースがD2D通信のために割り当てられ得るサブフレームの時間位置を決定するように構成される。
【０１４０】
いくつかの実施形態において、決定ユニット１２０２は、第１の無線デバイスの第２のアップリンクタイミング差にさらに基づいて、スケジューリングスキームを決定するようにも構成される。第１の無線デバイス１２１の第２のアップリンクタイミング差は、ここでは、ソースネットワークノードへの第１の無線デバイス１２１のアップリンクタイミングと、第３のネットワークノードへの第１の無線デバイス１２１のアップリンクタイミングとの差である。いくつかの実施形態において、決定ユニット１２０１は、第３のネットワークノードが第２の無線デバイス１２１をサービスしている場合に、第３のネットワークノードとの通信によりスケジューリングスキームを決定するように構成されてもよい。
【０１４１】
ターゲットネットワークノードにおいてD2D通信を管理するための本実施形態は、図１２に示すターゲットネットワークノードにおける処理ユニット１２１０のようなプロセッサの１つ以上を介して、本実施形態の機能および悪損を実行するためのコンピュータプログラムコードを伴って実装され得る。前述のプログラムコードは、コンピュータプログラム製品としても提供され得る。例えば、ターゲットネットワークノードへロードされたときに、本実施形態を実行するためのコンピュータプログラムコードを運ぶデータキャリアの形式である。そのようなキャリアは、例えばCD ROMディスクの形態である。しかしながら、メモリスティックのような他のデータキャリアも実現可能である。コンピュータプログラムコードは、例えば、ターゲットネットワークノードにおける、またはサーバ上の純粋なプログラムコードとして提供される、または、ターゲットネットワークノードへダウンロードされる。
【０１４２】
ターゲットネットワークノードは、さらに、１つ以上のメモリユニットを有するメモリ１２２０を有する。メモリ１２２０は、ターゲットネットワークノードにおいて実行される場合に本方法を実行するためのデータを記憶するために使用するように配置される。このデータは、例えば、送信バーストのエネルギーが第２のエネルギーレベルに増加すべきところの１つ以上の間隔に関する情報である。
【０１４３】
当業者であれば、上述した処理ユニット１２１０とメモリ１２２０は、さらに、アナログ回路およびデジタル回路の組み合わせ、メモリ等に格納されているソフトウェア並びに／またはファームウェアを用いて構成された１つ以上のプロセッサを参照し、処理ユニット１２１０のようなプロセッサの１つ以上により実行される場合に、上述のことを実行することも、理解するだろう。１つ以上のこれらのプロセッサ、並びに、他のデジタルハードウェアは、単一の特定用途向け集積回路（ASIC）に含まれ得る。または、いくつかのプロセッサと多種のデジタルハードウェアは、個々にパッケージされているか、システムオンチップ（SoC）にアレンブルされているかにかかわらず、いくつかの分離したコンポーネント間で分散され得る。
【０１４４】
第１の無線デバイス１２１がソースネットワークノードからターゲットネットワークノードへハンドオーバする間に第１の無線デバイス１２１と第２の無線デバイス１２２との間のD2D通信を管理するための方法のアクションを実行するために、ソースネットワークノードは、図１３に示す以下の配置を含み得る。
【０１４５】
図１３は、ソースネットワークノードの実施形態の概略ブロック図である。ソースネットワークノードは、図２から図５を参照して上記に示して説明したような第１のD2Dハンドオーバシナリオと第２のD2Dハンドオーバシナリオにおける第１の無線ネットワークノード１１１、または、図６から図７を参照して上記に示して説明したような第３のD2Dハンドオーバシナリオにおける第２の無線ネットワークノード１１１であり得る。
【０１４６】
ソースネットワークノードは、処理ユニット１３１０を有する。これは、処理回路とも称される。ソースネットワークノードにおける処理ユニット１３１０は、決定ユニット１３０１、および送受信ユニット１３０２を有する、またはこれらに接続されるように構成される。
【０１４７】
送受信ユニット１３０２は、ハンドオーバが開始される前に、D2D通信を中断するための指示を少なくとも第２無線デバイスへ送信するように構成される。いくつかの実施形態において、送受信ユニット１３０２はまた、D2D通信のスケジューリングスキームを第２の無線デバイス１２２へ送信するように構成される。
【０１４８】
決定ユニット１３０１は、ハンドオーバが完了した後に、少なくとも第１の無線デバイス１２１の第１のアップリンクタイミング差に基づいて、D2D通信のためのスケジューリングスキームを決定するように構成される。第１のアップリンクタイミング差は、ソースネットワークノードへの第１の無線デバイス１２１のアップリンクタイミングと、ターゲットネットワークノードへの第１の無線デバイス１２１のアップリンクタイミングとの差である。いくつかの実施形態において、決定ユニット１３０１は、X2インタフェースを介したソースネットワークノードとの通信を通じて、送信リソースがD2D通信のために割り当てれ得るサブフレームの時間位置を決定するように構成される。
【０１４９】
ソースネットワークノードにおいてD2D通信を管理するための本実施形態は、図１３に示すターゲットネットワークノードにおける処理ユニット１３１０のようなプロセッサの１つ以上を介して、本実施形態の機能および悪損を実行するためのコンピュータプログラムコードを伴って実装され得る。前述のプログラムコードは、コンピュータプログラム製品としても提供され得る。例えば、ターゲットネットワークノードへロードされたときに、本実施形態を実行するためのコンピュータプログラムコードを運ぶデータキャリアの形式である。そのようなキャリアは、例えばCD ROMディスクの形態である。しかしながら、メモリスティックのような他のデータキャリアも実現可能である。コンピュータプログラムコードは、例えば、ソースネットワークノードにおける、またはサーバ上の純粋なプログラムコードとして提供される、または、ソースネットワークノードへダウンロードされる。
【０１５０】
ソースネットワークノードは、さらに、１つ以上のメモリユニットを有するメモリ１３２０を有する。メモリ１３２０は、ソースネットワークノードにおいて実行される場合に本方法を実行するためのデータを記憶するために使用するように配置される。このデータは、例えば、送信バーストのエネルギーが第２のエネルギーレベルに増加すべきところの１つ以上の間隔に関する情報である。
【０１５１】
当業者であれば、上述した処理ユニット１３１０とメモリ１３２０は、さらに、アナログ回路およびデジタル回路の組み合わせ、メモリ等に格納されているソフトウェア並びに／またはファームウェアを用いて構成された１つ以上のプロセッサを参照し、処理ユニット１３１０のようなプロセッサの１つ以上により実行される場合に、上述のことを実行することも、理解するだろう。１つ以上のこれらのプロセッサ、並びに、他のデジタルハードウェアは、単一の特定用途向け集積回路（ASIC）に含まれ得る。または、いくつかのプロセッサと多種のデジタルハードウェアは、個々にパッケージされているか、システムオンチップ（SoC）にアレンブルされているかにかかわらず、いくつかの分離したコンポーネント間で分散され得る。
【０１５２】
ターゲットネットワークノードとソースネットワークノードは、明確性を目的として、分離した要素として説明したが、ネットワークノードは、一般的には、現在のケースが、第１のD2Dハンドオーバシナリオ、第２のD2Dハンドオーバシナリオ、または第３のD2Dハンドオーバシナリオのいずれかであるかに依存して、ターゲットネットワークノードとソースネットワークノードの両方になることが可能であるように実装されてもよいことに注意すべきである。しがたって、このケースでは、処理ユニット１２０１とメモリ１２２０は、処理ユニット１３０１とメモリ１３２０と同じとなり得る。
【０１５３】
本実施形態は、上記に説明した好適な実施形態に限定されない。多様な代案、修正、等化物が利用され得る。したがって、上記の実施形態は、限定するように構成されるべきではない。
【図１】
2016522630.tif 000003
【図２Ａ】
2016522630.tif 000004
【図２Ｂ】
2016522630.tif 000005
【図３】
2016522630.tif 000006
【図４Ａ】
2016522630.tif 000007
【図４Ｂ】
2016522630.tif 000008
【図５】
2016522630.tif 000009
【図６Ａ】
2016522630.tif 000010
【図６Ｂ】
2016522630.tif 000011
【図７】
2016522630.tif 000012
【図８】
2016522630.tif 000013
【図９】
2016522630.tif 000014
【図１０】
2016522630.tif 000015
【図１１】
2016522630.tif 000016
【図１２】
2016522630.tif 000017
【図１３】
2016522630.tif 000018
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
無線電気通信ネットワーク（１００）においてソースネットワークノード（１１０、１１１）からターゲットネットワークノード（１１０、１１１、１１２）への第１の無線デバイス（１２１）のハンドオーバの間に、第２の無線デバイス（１２２）とのDevice-to-Device （D2D）通信を管理するために前記第１の無線デバイス（１２１）によって実行される方法であって、
前記D2D通信を中断する工程（８０１）と、
前記ソースネットワークノード（１１０、１１１）へのアップリンクタイミングと前記ターゲットネットワークノード（１１０、１１１、１１２）へのアップリンクタイミングとの間の差として第１のアップリンクタイミング差を決定する工程（８０２）と、
前記第１のアップリンクタイミング差に基づいて、前記D2D通信を再構成する工程（８０３）と、
再構成された前記D2D通信を再開する工程（８０４）と、
を含むことを特徴とする方法。
【請求項２】
前記中断する工程（８０１）は、前記ハンドオーバが開始される前に、ソースネットワークノード（１１０、１１１）から、前記D2D通信を中断するための指示を受信することに応答して行われることを特徴とする請求項１に記載の方法。
【請求項３】
前記ターゲットネットワークノード（１１０、１１１、１１２）へのアップリンクタイミングは、前記ハンドオーバの間に前記第１の無線デバイス（１２１）と前記ターゲットネットワークノード（１１０、１１１、１１２）との間で実行されるランダムアクセス手順の一部として決定されることを特徴とする請求項１または２に記載の方法。
【請求項４】
前記再構成する工程（８０３）は、さらに、
前記ハンドオーバが完了した後に、前記ターゲットネットワークノード（１１０、１１１、１１２）へ、前記決定された第１のアップリンクタイミング差を送信する工程と、
前記ターゲットネットワークノード（１１０、１１１、１１２）から、前記D2D通信のためのスケジューリングスキームを受信する工程と、
を含み、
前記スケジューリングスキームは、送信リソースが前記D2D通信のために割り当てられ得るサブフレームの時間位置を示すことを特徴とする請求項１から３のいずれか１項に記載の方法。
【請求項５】
前記送信する工程は、さらに、前記ソースネットワークノード（１１０、１１１）へのアップリンクタイミングと第３のネットワークノードへのアップリンクタイミングとの間の差である第２のアップリンクタイミング差が前記第１の無線デバイス（１２１）により決定された場合に、前記ターゲットネットワークノード（１１０、１１１、１１２）へ、前記第２のアップリンクタイミング差を送信する工程を含むことを特徴とする請求項４に記載の方法。
【請求項６】
前記アップリンクタイミング差は、いくつかのサブフレーム程度で決定されることを特徴とする請求項１から５のいずれか１項に記載の方法。
【請求項７】
無線電気通信ネットワーク（１００）においてソースネットワークノード（１１０、１１１）からターゲットネットワークノード（１１０、１１１、１１２）への第１の無線デバイス（１２１）のハンドオーバの間に、第２の無線デバイス（１２２）とのDevice-to-Device （D2D）通信を管理するための前記第１の無線デバイス（１２１）であって、
前記D2D通信を中断し、
前記ソースネットワークノード（１１０、１１１）へのアップリンクタイミングと前記ターゲットネットワークノード（１１０、１１１、１１２）へのアップリンクタイミングとの間の差として第１のアップリンクタイミング差を決定し、
前記第１のアップリンクタイミング差に基づいて、前記D2D通信を再構成し、
再構成された前記D2D通信を再開する、
ように構成された処理回路（１１１０）を有することを特徴とする第１の無線デバイス。
【請求項８】
前記処理回路（１１１０）は、さらに、前記ハンドオーバが開始される前に、ソースネットワークノード（１１０、１１１）から、前記D2D通信を中断するための指示を受信することに応答して、前記D2D通信を中断するように構成されることを特徴とする請求項７に記載の第１の無線デバイス（１２１）。
【請求項９】
前記処理回路（１１１０）は、さらに、前記ハンドオーバが完了した後に、前記ターゲットネットワークノード（１１０、１１１、１１２）へ、前記決定された第１のアップリンクタイミング差を送信し、前記ターゲットネットワークノード（１１０、１１１、１１２）から、前記D2D通信のためのスケジューリングスキームを受信するように構成され、
前記スケジューリングスキームは、前記D2D通信のために送信リソースが割り当てられ得るサブフレームの時間位置を示すことを特徴とする請求項７または８に記載の第１の無線デバイス（１２１）。
【請求項１０】
前記処理回路（１１１０）は、さらに、前記ソースネットワークノードへのアップリンクタイミングと第３のネットワークノードへのアップリンクタイミングとの間の差である第２のアップリンクタイミング差が前記第１の無線デバイス（１２１）により決定された場合に、前記ターゲットネットワークノード（１１０、１１１、１１２）へ、第２のアップリンクタイミング差を送信するように構成されることを特徴とする請求項９に記載の第１の無線デバイス（１２１）。
【請求項１１】
無線電気通信ネットワーク（１００）においてソースネットワークノード（１１０、１１１）からターゲットネットワークノード（１１０、１１１、１１２）への第１の無線デバイス（１２１）のハンドオーバの間に、前記第１の無線デバイス（１２１）と第２の無線デバイス（１２２）との間のDevice-to-Device （D2D）通信を管理するために前記ターゲットネットワークノード（１１０、１１１、１１２）によって実行される方法であって、
前記ハンドオーバが完了した後に、前記第１の無線デバイス（１２１）から、少なくとも前記第１の無線デバイス（１２１）の第１のアップリンクタイミング差を受信する工程（９０１）と、
少なくとも前記第１の無線デバイス（１２１）の前記第１のアップリンクタイミング差に基づいて、前記D2D通信のためのスケジューリングスキームを決定する工程（９０２）と、
を含み、
前記第１のアップリンクタイミング差は、前記ソースネットワークノード（１１０、１１１）への前記第１の無線デバイス（１２１）のアップリンクタイミングと前記ターゲットネットワークノード（１１０、１１１、１１２）への前記第１の無線デバイス（１２１）のアップリンクタイミングとの間の差であることを特徴とする方法。
【請求項１２】
前記第１の無線デバイス（１２１）へ前記D2D通信の前記スケジューリングスキームを送信する工程（９０３）をさらに含むことを特徴とする請求項１１に記載の方法。
【請求項１３】
前記スケジューリングスキームを決定する工程（９０２）は、さらに、X2インタフェースを介した前記ソースネットワークノード（１１０、１１１）との通信を通じて、送信リソースが前記D2D通信のために割り当てられ得るサブフレームの時間位置を決定する工程を含むことを特徴とする請求項１１または１２に記載の方法。
【請求項１４】
前記受信する工程（９０１）は、さらに、前記第１の無線デバイス（１２１）から、前記第１の無線デバイス（１２１）の第２のアップリンクタイミング差を受信する工程を含み、
前記決定する工程（９０２）は、さらに前記第１の無線デバイスの第２のアップリンクタイミング差に基づき、
前記第１の無線デバイス（１２１）の第２のアップリンクタイミング差は、前記ソースネットワークノード（１１０、１１１）への前記第１の無線デバイス（１２１）のアップリンクタイミングと第３のネットワークノードへの前記第１の無線デバイス（１２１）のアップリンクタイミングとの間の差であることを特徴とする請求項１１から１３のいずれか１項に記載の方法。
【請求項１５】
前記スケジューリングスキームを決定する工程（９０２）は、前記第３のネットワークノードが前記第１の無線デバイス（１２１）をサービスしているときに、前記第３のネットワークノードとの通信によりさらに実行されることを特徴とする請求項１４に記載の方法。
【請求項１６】
無線電気通信ネットワーク（１００）においてソースネットワークノード（１１０、１１１）からターゲットネットワークノード（１１０、１１１、１１２）への第１の無線デバイス（１２１）のハンドオーバの間に、第１の無線デバイス（１２１）と第２の無線デバイス（１２２）との間のDevice-to-Device （D2D）通信を管理するためのターゲットネットワークノード（１１０、１１１、１１２）であって、
前記ハンドオーバが完了した後に、前記第１の無線デバイス（１２１）から、少なくとも前記第１の無線デバイス（１２１）の第１のアップリンクタイミング差を受信し、
前記少なくとも前記第１の無線デバイス（１２１）の前記第１のアップリンクタイミング差に基づいて、D2D通信のためのスケジューリングスキームを決定する、
ように構成された処理回路（１２１０）を有し、
前記第１のアップリンクタイミング差は、前記ソースネットワークノード（１１０、１１１）への前記第１の無線デバイス（１２１）のアップリンクタイミングと、前記ターゲットネットワークノード（１１０、１１１、１１２）への前記第１の無線デバイス（１２１）のアップリンクタイミングとの差であることを特徴とするターゲットネットワークノード。
【請求項１７】
前記処理回路（１２１０）は、さらに、前記第１の無線デバイス（１２１）へ前記スケジューリングスキームを送信するように構成されることを特徴とする請求項１６に記載のターゲットネットワークノード（１１０、１１１、１１２）。
【請求項１８】
前記処理回路（１２１０）は、さらに、X2インタフェースを介した前記ソースネットワークノード（１１０、１１１）との通信を通じて、送信リソースが前記D2D通信のために割り当てられ得るサブフレームの時間位置を決定することにより前記スケジューリングスキームを決定するように構成されることを特徴とする請求項１６または１７に記載のターゲットネットワークノード（１１０、１１１、１１２）。
【請求項１９】
前記処理回路（１２１０）は、さらに、前記第１の無線デバイス（１２１）から、前記第１の無線デバイス（１２１）の第２のアップリンクタイミング差を受信し、
前記第２のアップリンクタイミング差にさらに基づいて、前記スケジューリングスキームを決定するように構成され、
前記第１の無線デバイス（１２１）の第２のアップリンクタイミング差は、前記ソースネットワークノード（１１０、１１１）への前記第１の無線デバイス（１２１）のアップリンクタイミングと、第３のネットワークノードへの前記第１の無線デバイス（１２１）のアップリンクタイミングとの差であることを特徴とする請求項１６から１８のいずれか１項に記載のターゲットネットワークノード（１１０、１１１、１１２）。
【請求項２０】
前記処理回路（１２１０）は、さらに、前記第３のネットワークノードが前記第２の無線デバイス（１２２）にサービスしているときに、前記第３のネットワークノードとの通信によりスケジューリングスキームを決定するように構成されることを特徴とする請求項１９に記載のターゲットネットワークノード（１１０、１１１、１１２）。
【請求項２１】
無線電気通信ネットワーク（１００）においてソースネットワークノード（１１０、１１１）からターゲットネットワークノード（１１０、１１１、１１２）への第１の無線デバイス（１２１）のハンドオーバの間に、第１の無線デバイス（１２１）と第２の無線デバイス（１２２）との間のDevice-to-Device （D2D）通信を管理するためのソースネットワークノード（１１０、１１１、１１２）により実行される方法であって、
前記ハンドオーバが開始される前に前記D2D通信を中断するための指示を、少なくとも前記第２の無線デバイス（１２１、１２２）へ送信する工程（１００１）と、
前記ハンドオーバが完了した後に、少なくとも前記第１の無線デバイス（１２１）の第１のアップリンクタイミング差に基づいて、前記D2D通信のためのスケジューリングスキームを決定する工程（１００２）と、
を含み、
前記第１のアップリンクタイミング差は、前記ソースネットワークノード（１１０、１１１）への前記第１の無線デバイス（１２１）のアップリンクタイミングと、前記ターゲットネットワークノード（１１０、１１１、１１２）への前記第１の無線デバイス（１２１）のアップリンクタイミングとの差であることを特徴とする方法。
【請求項２２】
前記第２の無線デバイス（１２２）へ前記D2D通信のための前記スケジューリングスキームを送信する工程（１００３）を更に含むことを特徴とする請求項２１に記載の方法。
【請求項２３】
前記スケジューリングスキームを決定する工程（１００２）は、さらに、X2インタフェースを介した前記ターゲットネットワークノード（１１１、１１２）との通信を通じて、送信リソースが前記D2D通信のために割り当てられ得るサブフレームの時間位置を決定する工程を含むことを特徴とする請求項２１または２２に記載の方法。
【請求項２４】
無線電気通信ネットワーク（１００）においてソースネットワークノード（１１０、１１１）からターゲットネットワークノード（１１０、１１１、１１２）への第１の無線デバイス（１２１）のハンドオーバの間に、第１の無線デバイス（１２１）と第２の無線デバイス（１２２）との間のDevice-to-Device （D2D）通信を管理するためのソースネットワークノード（１１０、１１１）であって、
前記ハンドオーバが開始される前に前記D2D通信を中断する指示を、少なくとも前記第２の無線デバイス（１２１、１２２）へ送信し、
前記ハンドオーバが完了した後に、少なくとも前記第１の無線デバイス（１２１）の第１のアップリンクタイミング差に基づいて、前記D2D通信のためのスケジューリングスキームを決定する
ように構成された処理回路（１３１０）を有し、
前記第１のアップリンクタイミング差は、前記ソースネットワークノード（１１０、１１１）への前記第１の無線デバイス（１２１）のアップリンクタイミングと前記ターゲットネットワークノード（１１０、１１１、１１２）への前記第１の無線デバイス（１２１）のアップリンクタイミングとの差であることを特徴とするソースネットワークノード。
【請求項２５】
前記処理回路（１３１０）は、さらに前記第２の無線デバイス（１２２）へ前記D2D通信の前記スケジューリングスキームを送信するように構成されることを特徴とする請求項２４に記載のソースネットワークノード（１１０、１１１）。
【請求項２６】
前記処理回路（１３１０）は、さらに、X2インタフェースを介したターゲットネットワークノードとの通信を通じて、送信リソースがD2D通信のために割り当てられ得るサブフレームの時間位置を決定することにより前記スケジューリングスキームを決定するように構成されることを特徴とする請求項２４または２５に記載のソースネットワークノード（１１０、１１１）。
【国際調査報告】
2016522630.tif 000019
2016522630.tif 000020